(57)【要約】【課題】  櫛付き容器の各櫛歯上端部を三本足状として、頭皮に沿って櫛歯を滑らす際、容器を安定させて移動させることが可能に、かつ三本足間が形成する二つの凹部内に、余分に流出した染液を溜め、該溜液を頭髪部分染めに使用可能とした。【解決手段】  容器体へ嵌合させた櫛歯付きキャップから左右方向へ並立して起立する、流出孔６付き中空櫛歯７等櫛歯の上部形状を、前後方向へ長く、かつ左右方向へ短く設けると共に、それ等櫛歯上面の前後両部へ凹部12を穿設して三本足状とした。【選択図】  図２
2005312812.tif 000002
【特許請求の範囲】
【請求項１】
主として複数の流出孔付き中空櫛歯７を、頂壁５から左右方向へ並立するキャップを嵌合する櫛付き容器において、
各櫛歯の上部形状を、前後方向へ長く、かつ左右方向へ短く設けると共に、それ等櫛歯上面の前後両部へ凹部12を穿設して三本足状に形成した
ことを特徴とする櫛付き容器。
【請求項２】
上記前後の両足状部13を、弾性変形可能で細長な棒状部とした
ことを特徴とする請求項１記載の櫛付き容器。
【請求項３】
上記両凹部を、左右方向からみてほぼＶ字形状とし、かつ各櫛歯上端部を凸球面状部とした
ことを特徴とする請求項１又は２記載の櫛付き容器。
【請求項４】
各中空櫛歯７の上端部を、左右両部へ形成した上向き段部10を介して左右方向薄肉の中実部11となし、又各中空櫛歯が有する中空孔８を、上記上向き段部10上方の中実部分下部まで延長して該下部部分の左右両側面へ開孔させ、これ等両開孔を上記流出孔６とした
ことを特徴とする、請求項１、２又は３記載の櫛付き容器。
【請求項５】
上記キャップ２を嵌合させた容器体１を、弾性圧搾可能に形成した
ことを特徴とする、各請求項記載の櫛付き容器。
【発明の詳細な説明】
【技術分野】
【０００１】
本発明は、流出孔付きの複数櫛歯を頂壁から並立状態で起立する櫛歯付きキャップを、容器体口頸部へ嵌合させ、その容器体を柄として使用し、櫛歯から流出させた染液で髪染めするよう設けた櫛付き容器に関する。
【背景技術】
【０００２】
頂壁上面から流出孔付きの中空櫛歯を並立状態に起立させたキャップを容器体口頸部へ嵌合させた櫛歯付き容器は広く用いられている（特許文献１）。
【特許文献１】特開２００１−７００３４号公報
【発明の開示】
【発明が解決しようとする課題】
【０００３】
本発明は、上記櫛歯の上端部を上方へ拡開する三本足形状とすることで、櫛使用時に頭皮に接する各櫛歯上端の接触を三点として、櫛使用の安定感を増すと共に髪に対して多く付着した染液は上記三本足間の両凹部内に溜められて適正量が髪へ付着するようなし、又その凹部内に溜められた染液は前髪等の部分染めに使用できるようにしたものである。
【課題を解決するための手段】
【０００４】
第１の手段として主として複数の流出孔付き中空櫛歯７を、頂壁５から左右方向へ並立するキャップを嵌合する櫛付き容器において、
各櫛歯の上部形状を、前後方向へ長く、かつ左右方向へ短く設けると共に、それ等櫛歯上面の前後両部へ凹部12を穿設して三本足状に形成した。
【０００５】
第２の手段として、上記第１の手段を有すると共に上記前後の両足状部13を、弾性変形可能で細長な棒状部とした。
【０００６】
第３の手段として、上記第１の手段を有すると共に上記両凹部を、左右方向からみてほぼＶ字形状とし、かつ各櫛歯上端部を凸球面状部とした。
【０００７】
第４の手段として、上記第１又は第２の手段を有すると共に各中空櫛歯７の上端部を、左右両部へ形成した上向き段部10を介して左右方向薄肉の中実部11となし、又各中空櫛歯が有する中空孔８を、上記上向き段部10上方の中実部分下部まで延長して該下部部分の左右両側面へ開孔させ、これ等両開孔を上記流出孔６とした。
【０００８】
第５の手段として、上記第１、第２又は第３の手段を有すると共に上記キャップ２を嵌合させた容器体１を、弾性圧搾可能に形成した。
【発明の効果】
【０００９】
上記第１の請求項構成とすることで、左右方向へ並立する櫛歯上面の前後方向巾を長くしてその上部を三本足状に突出させることが容易であり、又中空櫛歯の流出孔から流出した染液が髪量に対して多い場合は、櫛使用時に余分の染液が両凹部12内へ溜まって髪に付着する液量を適正とすることが出来、両凹部12内に溜まった染液で前髪等の部分染めを行うことが出来る。
【００１０】
又上記三本足状に上方突出する上端面が櫛歯上面を形成することとなるため、櫛使用時櫛歯は頭皮に対してそれ等三点で接触することとなり、従って櫛使用時に安定感を増すこととなる。
【００１１】
請求項２のようにすることで、請求項１記載の効果のほか櫛歯上端前後の両足状部13は弾性変形し易いから、前髪部分等の部分染めを容易に行うことが出来る。
【００１２】
請求項３のようにすることで、請求項１又は２記載の効果のほか、両凹部をＶ字状にするからその凹部下端へ上記余分の染液が溜まり易く、又櫛歯上端を小径の突部形成でかつ凸球面状とするから、頭皮に沿って櫛歯上端を滑らせて整髪する際、櫛歯の移動をスムーズに行うことが出来る。
【００１３】
請求項４のようにすることで、上記請求項１、２又は３記載の効果のほか、中空櫛歯７上部左右の流出孔６の形成を、流出孔形成用金型を上方抜出しすることで形成でき、よって従来に比べて流出孔形成用金型構造を簡易化できる。
【００１４】
請求項５のようにすることで、各請求項記載の効果のほか、容器体内染液の流出を容易に行うことが出来る。
【発明を実施するための最良の形態】
【００１５】
まず図１から図４が示す第１実施形態について説明すると、１は容器体で、弾性圧搾可能に設けた胴部上端から肩部を介して口頸部を起立する。その胴部外径は、その容器体胴部を櫛柄として使用できるよう比較的小径とする。該容器体は、公知のデラミ容器としてもよく、このようにすることで収納液の注出量を適正とすることが出来る。
【００１６】
２は櫛歯付きキャップで、該キャップは上記容器体口頸部外面へ螺合等して嵌合させる装着筒３を有し、該装着筒上端から内向きフランジを介して筒部４を起立し、該筒部上端を頂壁５で閉塞する。該頂壁は図１が示すように左右へ多少延長してもよい。その頂壁上面からは上部左右両側面に流出孔６を有する中空櫛歯７を左右方向へ並設させて起立する。中空櫛歯の中空孔８は頂壁に穿設した透孔９を介してキャップ内と連通する。
【００１７】
中空櫛歯７は図３が示すように前後方向巾を長く、かつ左右方向巾を狭くしており、かつその櫛歯上端部は左右両部へ形成した上向き段部10を介して薄肉の中実部11とし、中空孔８をその中実部分下部まで延長してその下部部分の左右両側面へ開孔させて、これ等開孔を流出孔６としている。但し、上記頂壁５の左右延長部分から起立する櫛歯7aは中空孔を有しない。
【００１８】
図２が示すように各櫛歯上面の前後両部には、左右側方からみて二個のＶ字形状の凹部12を形成する。該凹部の谷は上記上向き段部10とほぼ同一高さに設け、その両凹部の両谷間の櫛歯部分へ流出孔６を開孔させている。各櫛歯上部は左右側方からみて図２のように三本足状とし、その頂部は小径でかつその上面を凸球面状としている。櫛歯上端前後の両足状部13,13 は、図示のように弾性変形可能で細長な棒状部とする。
【００１９】
図５は第２実施形態を示す。第１実施形態と同一部分については同一符号を付することで説明を省略し、相違部分についてだけ説明すると、各櫛歯の左右方向巾は上下ほぼ同一巾で僅かに上部巾を狭くし、既述第１実施形態における上向き段部を有しない。流出孔６は図示のように各櫛歯上部の前後方向中間に横孔14を穿設し、該横孔と中空櫛歯の中空孔８上端とを連通させて流出孔６としている。但し頂壁延長部分から起立する櫛歯7aは中空孔を有せず、横孔14だけを有する。尚これ等横孔は、上記流出孔形成用横孔穿設用の金型を左右側方へ抜取るために設けたものである。
【００２０】
既述櫛付きキャップ２は適宜合成樹脂材で一体成形すればよい。
【００２１】
上記各櫛付き容器の使用方法は公知であるため省略する。
【図面の簡単な説明】
【００２２】
【図１】本発明容器の半断面図である。
【図２】図１容器を側方からみた半断面図である。
【図３】図１キャップの平面図である。
【図４】第２実施形態で示す容器の半断面図である。
【符号の説明】
【００２３】
２  櫛歯付きキャップ                ６  流出孔  
７  中空櫛歯                        ８  中空孔
９  透孔                            10  上向き段部
11  中実部                          12  凹部
14  横孔
【図１】
2005312812.tif 000003
【図２】
2005312812.tif 000004
【図３】
2005312812.tif 000005
【図４】
2005312812.tif 000006